(57)【要約】【課題】ディスプレイ装置用のフィルタ、及びそれを備えたディスプレイ装置を提供する。【解決手段】特定波長帯の光を吸収する色素層が形成された第１フィルム部材と、第１フィルム部材に接着され、一表面に電磁波吸収層が形成された第２フィルム部材と、第２フィルム部材に接着され、一表面に複数の微細突起を接合させた鏡面反射防止層が形成された第３フィルム部材と、を備え、また、電磁波吸収層が形成された第１フィルム部材と、第１フィルム部材に接着されて特定波長帯の光を吸収できる色素層が形成された第２フィルム部材と、第２フィルム部材に接着され、一表面に複数の微細突起を接合させた鏡面反射防止層が形成された第３フィルム部材と、を備えるディスプレイのためのフィルタであり、また、フィルタを備えたディスプレイ装置である。【選択図】図３
2006146218.tif 000002
【特許請求の範囲】
【請求項１】
特定波長帯の光を吸収できる色素層が形成された第１フィルム部材と、
前記第１フィルム部材に接着され、一表面に電磁波吸収層が形成された第２フィルム部材と、
前記第２フィルム部材に接着され、一表面に複数の微細突起を接合させた鏡面反射防止層が形成された第３フィルム部材と、を備えるディスプレイのためのフィルタ。
【請求項２】
電磁波吸収層が形成された第１フィルム部材と、
前記第１フィルム部材に接着され、特定波長帯の光を吸収できる色素層が形成された第２フィルム部材と、
前記第２フィルム部材に接着され、一表面に複数の微細突起を接合させた鏡面反射防止層が形成された第３フィルム部材と、を備えるディスプレイのためのフィルタ。
【請求項３】
前記微細突起は、透明樹脂層により接合されることを特徴とする請求項１または２に記載のディスプレイのためのフィルタ。
【請求項４】
前記透明樹脂層内には、透明プラスチック粒子が分散されていることを特徴とする請求項３に記載のディスプレイのためのフィルタ。
【請求項５】
前記微細突起は、ＳｉＯ２またはＭｇＦ２より形成されたことを特徴とする請求項１または２に記載のディスプレイのためのフィルタ。
【請求項６】
前記微細突起は、直径１ｎｍないし１ｍｍであることを特徴とする請求項１または２に記載のディスプレイのためのフィルタ。
【請求項７】
前記透明プラスチック粒子は、スチレンビーズまたはメラニンビーズであることを特徴とする請求項４に記載のディスプレイのためのフィルタ。
【請求項８】
前記微細突起は、規則的にまたは不規則的に配列されることを特徴とする請求項１または２に記載のディスプレイのためのフィルタ。
【請求項９】
前記透明樹脂層と透明プラスチック粒子の屈折率は、前記微細突起の屈折率と異なることを特徴とする請求項４に記載のディスプレイのためのフィルタ。
【請求項１０】
前記色素層は、ネオン発光を遮断できるようにスクアリリウム系、シアニン系、アントラキノン系、フタロシアニン系、メチン系、ピロール系を含むグループから選択された何れか１つであることを特徴とする請求項１または２に記載のディスプレイのためのフィルタ。
【請求項１１】
前記色素層は、近赤外線を遮断するために、アミニウム系、イモニウム系、アントラキノン系、フタロシアニン系、ニッケル錯体、ポリメチン系を含むグループから選択された何れか１つであることを特徴とする請求項１または２に記載のディスプレイのためのフィルタ。
【請求項１２】
前記電磁波吸収層は、銅をメッシュ状にエッチングした層であることを特徴とする請求項１または２に記載のディスプレイのためのフィルタ。
【請求項１３】
前記電磁波吸収層は、銀またはＩＴＯをスパッタリングして形成された導電膜であることを特徴とする請求項１または２に記載のディスプレイのためのフィルタ。
【請求項１４】
パネルと、
前記パネルに付着されたフィルタと、を備えるプラズマディスプレイ装置であって、
前記フィルタは、
前記パネルの表面に直接付着され、特定波長帯の光を吸収できる色素層が形成された第１フィルム部材と、
前記第１フィルム部材に接着され、一表面に電磁波吸収層が形成された第２フィルム部材と、
前記第２フィルム部材に接着され、一表面に複数の微細突起を接合させた鏡面反射防止層が形成された第３フィルム部材と、を備えるプラズマディスプレイ装置。
【請求項１５】
パネルと、
前記パネルに付着されたフィルタと、を備える液晶ディスプレイ装置であって、
前記フィルタは、
前記パネルの表面に直接付着され、一表面に電磁波吸収層が形成された第１フィルム部材と、
前記第１フィルム部材に付着され、特定波長帯の光を吸収できる色素層が形成された第２フィルム部材と、
前記第２フィルム部材に接着され、一表面に複数の微細突起を接合させた鏡面反射防止層が形成された第３フィルム部材と、を備える液晶ディスプレイ装置。
【発明の詳細な説明】
【技術分野】
【０００１】
本発明は、ディスプレイ装置用のフィルタ、及びそれを備えたディスプレイ装置に係り、より詳細には、鏡面反射防止が可能なディスプレイのためのフィルタ、及びそれを備えたディスプレイ装置に関する。
【背景技術】
【０００２】
通常、プラズマディスプレイパネル（ＰＤＰ）、ＬＣＤパネル、ＣＲＴのようなディスプレイ装置には、ディスプレイ装置の前方にフィルタを配置する。フィルタは、ディスプレイの品位を向上させる作用を行うが、例えば、人体に有害な電磁波を遮断し、リモコンの誤動作を引き起こす近赤外線を遮断し、ネオン発光を遮断し、かつ、外光がパネルの前方表面で反射する現象を防止する。このような多様な機能を行うために、フィルタは多層膜構造を有する。
【０００３】
図１は、通常のプラズマディスプレイ装置の概略的な分解斜視図である。
【０００４】
図面を参照すれば、プラズマディスプレイ装置は、前面ガラス基板と背面ガラス基板との結合体からなるパネル１１と、前記パネル１１を固定させて保持するシャーシ１２と、前記シャーシ１２の背面に設けられた電子回路基板１３を備える。パネル１１の前方には、ガラスフィルタ１５が設けられ、前記パネル１１、シャーシ１２及び、ガラスフィルタ１５の組立体は、前方カバー１６と後方カバー１４によって限定される空間内に設けられる。
【０００５】
図２は、図１に示されたガラスフィルタ１５の透明導電膜構造の一例を概略的に示す断面図である。
【０００６】
図面を参照すれば、ガラスフィルタ１５は、ガラス２１の表面に接着された多層のフィルムを備える。ガラス２１の第１面には、第１フィルム２４が接着層２３によって接着され、第１フィルム２４上には色素層２４ａが形成される。色素層２４ａは、近赤外線とネオン発光を吸収できる色素を使用して形成される。ガラス２１の第２面には第２フィルム２５が接着層２２を介して接着される。第２フィルム２５上には電磁波吸収層２６が形成される。電磁波吸収層２６は、例えば、導電性に優れた金属材料でメッシュを形成するか、または透明薄膜を形成したものであって、その一側には接続部２６ａが形成されている。電磁波吸収層２６は、ディスプレイ装置のイメージ表示で発生する電磁波を吸収するために提供され、電磁波吸収層２６で吸収された電磁波は、接続部２６ａを通じて接地される。電磁波吸収層２６の表面には、第３フィルム２８が接着層２７を通じて接着され、第３フィルム２８上には反射防止層２８ａが形成される。反射防止層２８ａは、外光がフィルタ上で全反射されることによって、ディスプレイイメージの品位が低下することを防止する。このようなガラスフィルタ１５は、パネル１１の表面と約５ないし１０ｍｍの間隔をおいて配置される。
【０００７】
ＰＤＰやＬＣＤパネルは、その他のディスプレイ装置より薄いということが長所であるために、ガラスフィルタ１５を採用することによって、顕著に増加するプラズマディスプレイ装置の重さは、その長所を減少させる結果を招く。例えば、プラズマディスプレイ装置においてガラスフィルタ１５が占める重さは、全体重さに対してほぼ１０％に達する。また、ガラスフィルタ１５それ自体の重さだけでなく、ガラスフィルタ１５とパネル１１との間にも間隔が存在するので、装置の全体的な厚さが増加する問題点もある。一方、たとえ反射防止層２８ａが提供されるとしても、反射防止層自体もその表面が滑らかに形成されるので、鏡面反射を一定レベル以下に低めるには限界がある。
【発明の開示】
【発明が解決しようとする課題】
【０００８】
本発明は、前記問題点を解決するために案出されたものであって、本発明の目的は、重さと厚さとが減少されたディスプレイ装置用のフィルタ、及びそれを備えるプラズマディスプレイ装置を提供することである。
【０００９】
本発明はまた、鏡面反射が防止されるディスプレイ装置用のフィルタ、及びそれを備えるプラズマディスプレイ装置を提供することである。
【課題を解決するための手段】
【００１０】
前記目的を達成するために本発明によれば、特定波長帯の光を吸収できる色素層が形成された第１フィルム部材と、前記第１フィルム部材に接着され、一表面に電磁波吸収層が形成された第２フィルム部材と、前記第２フィルム部材に接着され、一表面に複数の微細突起を接合させた鏡面反射防止層が形成された第３フィルム部材と、を備えるディスプレイ用フィルタが提供される。
【００１１】
また本発明によれば、電磁波吸収層が形成された第１フィルム部材と、前記第１フィルム部材に接着されて特定波長帯の光を吸収できる色素層が形成された第２フィルム部材と、前記第２フィルム部材に接着され、一表面に複数の微細突起を接合させた鏡面反射防止層が形成された第３フィルム部材と、を備えるディスプレイのためのフィルタが提供される。
【００１２】
本発明の一特徴によれば、前記微細突起は、透明樹脂層により接合される。
【００１３】
本発明の他の特徴によれば、前記透明樹脂層内には透明プラスチック粒子が分散されている。
【００１４】
本発明のさらに他の特徴によれば、前記微細突起は、ＳｉＯ２またはＭｇＦ２材料より形成されている。
【００１５】
本発明のさらに他の特徴によれば、前記微細突起は、直径が１ｎｍないし１ｍｍである。
【００１６】
本発明のさらに他の特徴によれば、前記透明プラスチック粒子は、スチレンビーズまたはメラニンビーズである。
【００１７】
本発明のさらに他の特徴によれば、前記微細突起は、規則的にまたは不規則的に配列される。
【００１８】
本発明のさらに他の特徴によれば、前記透明樹脂層と透明プラスチック粒子の屈折率は、前記微細突起の屈折率と異なる。
【００１９】
本発明のさらに他の特徴によれば、前記色素層は、ネオン発光を遮断するようにスクアリリウム系、シアニン系、アントラキノン系、フタロシアニン系、メチン系、ピロール系を含むグループから選択された何れか１つである。
【００２０】
本発明のさらに他の特徴によれば、前記色素層は、近赤外線を遮断するようにアミニウム系、イモニウム系、アントラキノン系、フタロシアニン系、ニッケル錯体、ポリメチン系を含むグループから選択された何れか１つである。
【００２１】
本発明のさらに他の特徴によれば、前記電磁波吸収層は、銅をメッシュ状にエッチングしたものである。
【００２２】
本発明のさらに他の特徴によれば、前記電磁波吸収層は、銀（Ａｇ）またはＩＴＯをスパッタリングして形成された導電膜である。
【００２３】
また本発明によれば、パネルと、前記パネルに付着されたフィルタと、を備えるプラズマディスプレイ装置であって、前記フィルタは、前記パネルの表面に直接付着されて特定波長帯の光を吸収する色素層が形成された第１フィルム部材と、前記第１フィルム部材に接着され、一表面に電磁波吸収層が形成された第２フィルム部材と、前記第２フィルム部材に接着され、一表面に複数の微細突起を接合させた鏡面反射防止層が形成された第３フィルム部材と、を備えるプラズマディスプレイ装置が提供される。
【００２４】
また本発明によれば、パネル及び、前記パネルに付着されたフィルタを備える液晶ディスプレイ装置であって、前記フィルタは、前記パネルの表面に直接付着され、一表面に電磁波吸収層が形成された第１フィルム部材と、前記第１フィルム部材に接着されて特定波長帯の光を吸収する色素層が形成された第２フィルム部材と、前記第２フィルム部材に接着され、一表面に複数の微細突起を接合させた鏡面反射防止層が形成された第３フィルム部材と、を備える液晶ディスプレイ装置が提供される。
【発明の効果】
【００２５】
本発明によるディスプレイのためのフィルタ、及びそれを備えたＰＤＰは、パネルの表面に直接付着されるので、パネルの重さと厚さを、増加させずとも使われうる。また、フィルムフィルタの表面に鏡面反射防止層が備わっているので、外光の鏡面反射によるディスプレイ品質の低下が防止されうる。
【発明を実施するための最良の形態】
【００２６】
以下、本発明を添付された図面に図示された一実施形態を参考でさらに詳細に説明する。
【００２７】
図３は、本発明によるディスプレイのためのフィルタが備わったＰＤＰを示す概略的な斜視図である。
【００２８】
図面を参照すれば、本発明によるディスプレイのためのフィルタ３５は、パネル３０の表面に付着される。本願に図示された例において、パネル３０は、ＰＤＰであって、前面ガラス基板と背面ガラス基板とが接合されてなされたものである。他の例において、パネル３０は、ＬＣＤ装置のパネルでも、陰極線管のようなディスプレイ装置でもあり得る。
【００２９】
フィルタ３５は、図面に示されたように、フィルム３１、３２、３３が多層構造で積層されて形成されたものであって、フィルタ３５がパネル３０の表面に直接付着される。図面に示された例でフィルタ３５は、第１フィルム３１、第２フィルム３２及び、第３フィルム３３が接着層を通じて積層された構造であり、各フィルムの表面に所望の機能を行える表面処理がなされている。前記フィルムは、通常、ポリエチレンフタレート（ＰＥＴ）またはトリアセチルセルロース（ＴＡＣ）材料より形成される。
【００３０】
図４は、図３に示されたフィルタの透明導電膜構造を示す概略的な断面図である。
【００３１】
図面を参照すれば、第１フィルム３１の第１面には、色素層３１ａが形成されている。色素層３１ａは、ネオン光（〜５９０ｎｍ）や、または近赤外線（８５０〜１０００ｎｍ）帯域の光を吸収するためのものである。ネオン光を吸収することによって、カラーの再現面積及び、カラー温度などを改善でき、近赤外線を吸収することによって、リモコンなどの家電機器の誤動作を防止できる。ネオン光吸収色素としては、スクアリリウム系、シアニン系、アントラキノン系、フタロシアニン系、メチン系及び、ピロール系などが使用されうる。また、近赤外線吸収色素としては、アミニウム系、イモニウム系、アントラキノン系、フタロシアニン系、ニッケル錯体、ポリメチン系化合物などが使用されうる。このような色素のうち、１つまたはそれ以上を選択して第１フィルム３１の第１面にコーティングすることによって、色素層３１ａを形成しうる。色素層３１ａの表面には、接着層４１が形成されるが、このような接着層４１は、図３に示されたパネル３０の表面に直接付着させるための接着層であるか、または他の衝撃吸収層（図示せず）に付着されるための接着層である。
【００３２】
第１フィルム３１の第２面には、第２フィルム３２が接着層４２を通じて接着される。第２フィルム３２の表面には、電磁波吸収層３６が形成される。電磁波吸収層３６は、パネルのイメージ表示時に発生する電磁波を吸収するためのものであって、導電性が強い材料を利用してメッシュを形成するか、透明導電膜を形成することによって提供される。電磁波吸収層３６を形成する材料としては、Ｃｕ、ＡｇまたはＩＴＯ材料の金属酸化物を挙げられうる。このような導電性材料は、微細な線のメッシュ状にエッチングされるか、スパッタリングにより全面透明導電膜構造を形成しても良い。スパッタリングによってＡｇまたはＩＴＯなどを透明導電膜構造の電磁波吸収層３６として形成する場合、近赤外線遮断効果も期待しうる。一方、電磁波吸収層３６の一側には接続部４３ａが形成される。接続部４３ａは、電磁波吸収層３６から吸収された電磁波を接地させるためのものである。
【００３３】
第３フィルム３３は、電磁波吸収層３６の表面に接着層４３を通じて接着される。第３フィルム３３の表面には、本発明の特徴による鏡面反射防止層３３ａが形成される。鏡面反射防止層３３ａは、外光がフィルタ３５の滑らかな表面で反射されることを防止する役割をする。
【００３４】
図５は、図４に示された鏡面反射防止層33aを拡大した断面図である。
【００３５】
図面を参照すれば、鏡面反射防止層は、透明樹脂層５１内に透明プラスチック粒子５２を分散させたものである。これとは違って、鏡面反射防止層は、透明樹脂層５１の上部に微細な突起５３で低屈折層を形成したものであり得る。また、微細突起からなる低屈折層を透明プラスチック粒子を含む透明樹脂層５１上に形成しても良い。透明樹脂層５１は、図４において第３フィルム３３に接合され、その内部に透明プラスチック粒子５２が分散されている。透明プラスチック粒子５２は、例えば、スチレンビーズ、メラニンビーズのようなものであり得る。これら透明プラスチック粒子５２は、直径が０．１ないし３μｍであることが望ましく、透明樹脂層５１の厚さは、３〜１０  μｍ  であることが望ましい。一方、透明樹脂層５１は、その上に第２のコーティング層が形成されることもあるが、該層は微細な突起であるか、均一な膜であり得る。微細突起５３は、例えば、ＳｉＯ２材料またはＭｇＦ２材料より形成され、微細突起５３は、最大直径が１ｎｍ〜１ｍｍであることが望ましい。また、微細突起５３は、規則的であるか、不規則的である配列を有することができる。微細突起５３が規則的な配列を有する場合には、格子状または線状に配置されうる。
【００３６】
透明樹脂層５１を形成するためには、透明微粒子を樹脂層に混合させてコーティングを行い、コーティングを行うための方法としては、スプレイコーティング、ロールコーティング、ディップコーティングなど多様に使用することができ、また微細突起を作る方法としては、スプレイコーティングが適切に使われるが、規則的な配列を備えるための方法として、キャスティングまたはフォトレジストを使用した方法などが使われることもある。これら層に使われる粒子は、商用化されており、Ｓｏｋｅｎ社のｃｈｅｍｉｓｎｏｗ製品などがある。
【００３７】
透明樹脂層５１内に含まれた透明プラスチック粒子５２と透明樹脂層５１の上部に接合された微細突起５３は、フィルタ５３に光が入射される場合、これを散乱させる。すなわち、図５に示されたように、外部光源５５から矢印Ａで表示された光が鏡面反射防止層３３ａ上に入射される場合、光は鏡面反射防止層３３ａの表面で矢印Ｂで表示されたように、多様な方向に散乱されてしまう。このような散乱効果を向上させるために微細突起５３と透明プラスチック粒子５２は、屈折率が異なることが望ましい。透明樹脂層５１と透明プラスチック粒子５２の屈折率は、１．２ないし１．９であることが望ましく、微細突起５３の屈折率は樹脂層の屈折率と０．０１以上の異なる値を有することが望ましい。
【００３８】
一方、図面に示されていない本発明の他の実施形態では、前記に説明された第１フィルム３１と第２フィルム３２の配置が変わることもある。例えば、電磁波吸収層が形成された第１フィルムと、前記第１フィルムに接着されて特定波長帯の光を吸収できる色素層が形成された第２フィルムと、前記第２フィルム部材に接着され、一表面に複数の微細突起を接合させた鏡面反射防止層が形成された第３フィルムと、を備えるディスプレイのためのフィルタが提供されうる。このような他の実施形態のフィルタは、第１フィルムと第２フィルムの位置が入れ替わったという差異点がある。
【００３９】
一方、本発明によるフィルタに使われうる反射防止膜としては、第１に、樹脂内に反射防止用粒子を含めて単独の膜として形成した均一層、第２に、粒子を凹凸と形成した単独膜のＡＧ層、第３に、前記樹脂内粒子として形成された均一層上に粒子凹凸ＡＧ層を形成した場合、及び第４に、前記樹脂内粒子として形成された均一層上に均一ＡＲ層を形成したことをいずれも採択して使用しうる。
【００４０】
本発明は添付された図面に図示された一実施形態を参考に説明されたが、それは例示的なものに過ぎず、当業者ならばこれより多様な変形及び均等な他の実施形態が可能であるという点を理解できるであろう。よって、本発明の真の保護範囲は、特許請求の範囲によってのみ決まるべきである。
【産業上の利用可能性】
【００４１】
本発明は、ディスプレイ装置用のフィルタ、及びそれを備えたディスプレイ装置に関連した技術分野に適用されうる。
【図面の簡単な説明】
【００４２】
【図１】通常のＰＤＰ装置の概略的な分解斜視図である。
【図２】図１に示されたガラスフィルタの透明導電膜構造の一例を概略的に示す断面図である。
【図３】本発明によるディスプレイのためのフィルタが備わったＰＤＰを示す概略的な斜視図である。
【図４】図３に示されたフィルタの透明導電膜構造を概略的に示す断面図である。
【図５】図４に示された鏡面反射防止層を拡大して示す断面図でである。
【符号の説明】
【００４３】
３０  パネル
３１  第１フィルム
３２  第２フィルム
３３  第３フィルム
３５  フィルタ
【図１】
2006146218.tif 000003
【図２】
2006146218.tif 000004
【図３】
2006146218.tif 000005
【図４】
2006146218.tif 000006
【図５】
2006146218.tif 000007